【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ユーザの神経学的状態を検出するためのヘッドセットであって、
ユーザの頭の面に対して位置付けられるように構成されるプローブであり、前記ヘッドセットは、前記ヘッドセットにより生成されたエネルギーが前記プローブにより前記ユーザの頭に集中するように、前記ユーザの前記頭の上に設けられるように構成される、プローブと、
前記ヘッドセットに取り付けられたモータであり、前記プローブを、前記ユーザの前記頭の前記面に沿って側方に、および、前記ユーザの前記頭の前記面に対して垂直に動かすよう構成されるモータと、
を備えるヘッドセット。
【請求項２】
前記プローブは、前記ヘッドセットが前記ユーザの頭に設けられたとき、前記ユーザのこめかみの領域の近傍に位置付けられるよう構成される、請求項１に記載のヘッドセット。
【請求項３】
前記ヘッドセットによって生成される前記エネルギーは超音波エネルギーである、請求項１または請求項２のいずれか一項に記載のヘッドセット。
【請求項４】
前記モータは、前記プローブが前記ユーザの中大脳動脈に向かって前記エネルギーを集中するように、前記ユーザの頭の前記面に前記プローブを位置付けるよう構成される、請求項１、請求項２、または、請求項３のいずれか一項に記載のヘッドセット。
【請求項５】
前記モータは、前記ユーザの頭の前記面に垂直である軸に対し、望ましくは、前記ユーザの頭の面に垂直である前記軸に対して０度から６０度の範囲で、前記プローブを傾斜させるように更に構成される、請求項１、請求項２、請求項３、または、請求項４のいずれか一項に記載のヘッドセット。
【請求項６】
前記ユーザの前記頭の異なる面に位置付けられるように、および、前記ユーザの頭の前記異なる面の中に前記ヘッドセットにより生成されたエネルギーを集中するように構成される追加のプローブを更に備える、請求項１ないし請求項５のいずれか一項に記載のヘッドセット。
【請求項７】
前記プローブは、前記プローブの接触面に潤滑ゲルを導くよう構成される注入ポートを備え、
前記接触面は、前記ヘッドセットがユーザの頭に設けられたとき、前記ユーザの頭の前記面に接触するよう構成される、
請求項１ないし請求項６のいずれか一項に記載のヘッドセット。
【請求項８】
前記神経学的状態は、外傷性脳損傷（ＴＢＩ）、脳卒中、または、痴ほう症である、請求項１ないし請求項７のいずれか一項に記載のヘッドセット。
【請求項９】
キャリッジであって、前記プローブが前記キャリッジの上に設けられる、キャリッジと、
前記キャリッジが、前記プローブを運ぶ間にレールに沿って移動するよう構成されるように、前記キャリッジに結合される複数のレールと、
を更に備える、請求項１ないし請求項８のいずれか一項に記載のヘッドセット。
【請求項１０】
前記複数のレールは、前記ユーザの前頭から前記ユーザの頭のこめかみ領域を通り前記ユーザの片方の耳に向かって斜めに位置付けられるよう構成される、請求項９に記載のヘッドセット。
【請求項１１】
前記プローブに結合される圧力センサを更に備え、
前記圧力センサは、前記プローブにより及ぼされる圧力に基づいて、前記ユーザの頭の前記面に対する前記プローブの圧力を感知するように構成される、
請求項１ないし請求項１０のいずれか一項に記載のヘッドセット。
【請求項１２】
前記モータは、ステッパモータを備え、
前記ヘッドセットは、前記ステッパモータに結合されたモータ制御ユニット（ＭＣＵ）を更に備える、
請求項１ないし請求項１１のいずれか一項に記載のヘッドセット。
【請求項１３】
前記プローブに結合された頭蓋ストラップと、
前記頭蓋ストラップに沿った複数の接合部材における複数の締めノブと、
を更に備え、
前記締めノブは、前記ユーザの前記頭の上の前記ヘッドセットの締め具合を調節するよう構成される、
請求項１ないし請求項１２のいずれか一項に記載のヘッドセット。
【請求項１４】
前記ユーザの頭の上に設けられている間に前記ヘッドセットを安定にするために前記ユーザの頭に付加されるように構成された複数のソフトマウンティング脚を更に備える、請求項１ないし請求項１３のいずれか一項に記載のヘッドセット。
【請求項１５】
前記ヘッドセットによって受け取られる信号をモニタリングするためのデバイスに接続するためのケーブル、および／または、前記ヘッドセットによって受け取られる信号をモニタリングするためのデバイスと無線で通信するよう構成される手段を更に備える、請求項１ないし請求項１４のいずれか一項に記載のヘッドセット。
【手続補正２】
【補正対象書類名】明細書
【補正対象項目名】０１２８
【補正方法】変更
【補正の内容】
【０１２８】
[00117] 幾つかの実施形態は本システムや方法の例であることを記載したが、当技術に技量を有する者は、この中に記載されたシステムや方法の真意や範囲の中にある追加の実施形態を認識するであろう。修正や変形は、本開示の範囲から逸脱しないで、開示された実施形態に対してなされるであろう。当技術に技量を有する者は、この中に開示された実施形態の応用が変わることを理解するであろう。従って、追加や修正は、本開示の本質から逸脱しないでなされることができる。この点で、そのような変更が、依然として、本開示の範囲の中にはいることが意図される。変更や修正は、この開示をレビューした後、当技術に技量を有する者に生じるであろう。開示された特徴は、この中に開示された１つまたはそれより多くの他の特徴との組み合わせや下位の組み合わせ（subcombination）（複数の従属の組み合わせや下位の組み合わせを含む）において実装され得る。上に記載され、または、示された様々な特徴は、それらの任意のコンポーネントを含んで、他のシステムの中に組み合されたり、統合されたりされ得る。更に、ある特徴は、除かれたり、実装されなかったりしてもよい。従って、この開示は、特定の実施形態に限定されないが、本開示の真意や範囲の中にはいる修正を包含するように意図される。
以下に、本願出願時に添付された特許請求の範囲に記載された発明を付記する。
［Ｃ１］
患者における病理上の頭蓋内圧状態を診断するための非侵襲な方法であって、
前記患者の頭蓋領域の中に配された少なくとも１つの血管からの脳の血流速度を示す生のデータを非侵襲に収集することのステップを備え、
前記方法は、
以前に検証された脳の血流速度波形のデータベースを用いて、前記生のデータを構造的特徴に変換することと、
以前に特定された病理上の頭蓋内圧状態を用いて、前記構造的特徴を分類することと、
前記分類のステップに基づいて、診断を勧告することと、
によって特徴づけられる方法。
［Ｃ２］
前記病理上の頭蓋内圧状態は、中程度の外傷性脳損傷（ＴＢＩ）、重度のＴＢＩ、脳卒中、脳浮腫、突発性頭蓋内圧亢進、脳性マラリアからなるグループから選択される、［Ｃ１］に記載の方法。
［Ｃ３］
前記診断でもって、以前に特定された軽度な外傷性脳損傷（ｍＴＢＩ）状態のデータベースを更新するステップを更に備える、［Ｃ１］に記載の方法。
［Ｃ４］
生のデータを非侵襲に収集することの前記ステップは、経頭蓋ドプラを用いることを含む、［Ｃ１］に記載の方法。
［Ｃ５］
生のデータを非侵襲に収集することの前記ステップは、超音波トランシーバによって生成され、反射された超音波を処理することを含み、
前記反射された超音波は、ドプラ波形分析を用いて処理される、
［Ｃ１］に記載の方法。
［Ｃ６］
生のデータを非侵襲に収集することの前記ステップは、ＭＲＩシステム、ＣＴスキャナ、圧力変換器、光撮像素子、および、近赤外線撮像素子の内の１つを用いることを含む、［Ｃ１］に記載の方法。
［Ｃ７］
診断を勧告することの前記ステップは、平常、傷害の疑いあり、および、確定的な傷害の内の少なくとも１つを勧告することを含む、［Ｃ１］に記載の方法。
［Ｃ８］
前記構造的特徴は少なくとも１つのピークを含む、［Ｃ１］に記載の方法。
［Ｃ９］
前記構造的特徴は、少なくとも１つのサブピークを更に含む、［Ｃ８］に記載の方法。
［Ｃ１０］
更に、前記患者に刺激を与えることを更に備え、
前記構造的特徴は、前記刺激への対象の応答率の指標である、［Ｃ１］に記載の方法。
［Ｃ１１］
前記刺激は、前記患者の動脈の二酸化炭素（ＣＯ２）濃度を変えることを含む、［Ｃ１０］に記載の方法。
［Ｃ１２］
前記刺激は、目に対する光刺激のレベルを変えることを含む、［Ｃ１０］に記載の方法。
［Ｃ１３］
前記刺激は、対象の動脈血圧レベルを変えることを含む、［Ｃ１０］に記載の方法。
［Ｃ１４］
生のデータを非侵襲に収集することの前記ステップは、少なくとも１つの血管を探知し、前記生のデータを測定するためにヘッドセットデバイスを用いることを含む、［Ｃ１］に記載の方法。
［Ｃ１５］
前記ヘッドセットデバイスは、圧力センサを含み、前記患者の頭に対してスキャナプローブによって及ぼされる圧力を制御するためにプロセッサと通信する、［Ｃ１４］に記載の方法。